(57)【要約】      （修正有）【課題】脚の弱い人の椅子への腰掛け、又は椅子からの立ち上がりが容易にできる座板可動椅子を得る。【解決手段】椅子フレーム２に上下方向に伸縮調節可能な昇降装置１０を設け、座板４５を水平配置して前記昇降装置１０の上部に載置するとともに、該座板４５の前部を前記昇降装置１０に左右軸心を中心として回動可能に連結し、前記座板４５を前記左右軸心を中心として前傾させるばね４８と、前記座板４５の前傾を規制するロック機構５０とを設ける。【選択図】図２
2007330665.tif 000002
【特許請求の範囲】
【請求項１】
椅子フレーム（２）に上下方向に伸縮調節可能な昇降装置（１０）を設け、座板（４５）を水平配置して前記昇降装置（１０）の上部に載置するとともに、該座板（４５）の前部を前記昇降装置（１０）に左右軸心を中心として回動可能に連結し、前記座板（４５）を前記左右軸心を中心として前傾させるばね（４８）と、前記座板（４５）の前傾を規制するロック機構（５０）とを設けたことを特徴とする座板可動椅子。
【請求項２】
昇降装置（１０）は、椅子フレーム（２）のベース部材（４ａ）と該ベース部材（４ａ）の上方にて座板（４５）を支持する上下動可能な昇降台（１１）とを、二組のリンク装置（１２）により連結し、各リンク装置（１２）は、左部と右部とが互いに逆ねじに形成されたねじ軸（１３）を設けるとともに、該ねじ軸（１３）の左部と右部とに左部ナット（１７）と右部ナット（１８）を螺合させ、前記昇降台（１１）及びベース部材（４ａ）の左部と右部とに上下一対の上下リンクアーム（１９ａ，１９ｂ、２０ａ，２０ｂ）の一端部を前後軸心を中心として回動可能に連結し、該上下リンクアーム（１９ａ，１９ｂ、２０ａ，２０ｂ）の他端部を前記左部ナット（１７）と右部ナット（１８）に前後軸心を中心として回動可能に連結し、左右の上下リンクアーム（１９ａ，１９ｂ、２０ａ，２０ｂ）の回動角度を同期させる同期装置（２２）を設け、椅子フレーム（２）のサイド部材（５）に前記ねじ軸（１３）を回転させるハンドル（３６）を設けてなることを特徴とする請求項１記載の座板可動椅子。
【発明の詳細な説明】
【技術分野】
【０００１】
本発明は、脚の弱い人の椅子への腰掛け、又は椅子からの立ち上がりが容易にできる座板可動椅子に関するものである。
【背景技術】
【０００２】
従来の技術として、脚体から立設した支柱の上端部に固定枠体を固着し、該固定枠体に座板受け板の後部をピン軸を介して前傾動可能に取り付け、座板受け板の前部に調節レバーを回動可能に連結するとともに、その下部を前記固定枠体の底部に形成したスリットに前後摺動可能に挿通し、前記調節レバーにテレスコピック形のばね受け体を挿通するとともに該ばね受け体にコイルばねを収容し、ばね受け体の上部を、調節レバーを支持する座板受け板のボス部に前後摺動可能に当接させ、ばね受け体の下部を、固定枠体のスリット部に形成した前後の各凹所に選択的に係止可能とし、前記座板受け板に背もたれ付きの座板を取り付ける。そして、前記調節レバーを前後方向に回動させ、ばね受け体の下部を前記凹所を選択して所定の凹所に係止することにより、座板の前傾負荷を座る人の体重に合うように調節する。
【特許文献１】特開平８−１７３２６９号公報
【発明の開示】
【発明が解決しようとする課題】
【０００３】
前記従来のものは、座板が強いばねによって常時水平方向に回動付勢されているため、椅子に腰掛けるとき、又は椅子から立ち上がるときに、座板を小負荷で前傾させることができず、脚の弱い人にとっては椅子への腰掛け、及び椅子からの立ち上がりが困難になるものであった。また、座板が上下動調節できないため、座板の高さを使用者の身長に対応させることができないものであった。本発明は前記不具合を解消した新規な座板可動椅子を得ることを目的とする。
【課題を解決するための手段】
【０００４】
本発明は、前記目的を達成するために以下の如く構成したものである。即ち、請求項１に係る発明は、椅子フレームに上下方向に伸縮調節可能な昇降装置を設け、座板を水平配置して前記昇降装置の上部に載置するとともに、該座板の前部を前記昇降装置に左右軸心を中心として回動可能に連結し、前記座板を前記左右軸心を中心として前傾させるばねと、前記座板の前傾を規制するロック機構とを設ける構成にしたものである。
請求項２に係る発明は、前記昇降装置として、椅子フレームのベース部材と該ベース部材の上方にて座板を支持する上下動可能な昇降台とを、二組のリンク装置により連結し、各リンク装置は、左部と右部とが互いに逆ねじに形成されたねじ軸を設けるとともに、該ねじ軸の左部と右部とに左部ナットと右部ナットを螺合させ、前記昇降台及びベース部材の左部と右部とに上下一対の上下リンクアームの一端部を前後軸心を中心として回動可能に連結し、該上下リンクアームの他端部を前記左部ナットと右部ナットに前後軸心を中心として回動可能に連結し、左右の上下リンクアームの回動角度を同期させる同期装置を設け、椅子フレームのサイド部材に前記ねじ軸を回転させるハンドルを設ける構成にしたものである。
【発明の効果】
【０００５】
本願の請求項１に係る発明は、昇降装置を作動させることによって座板の高さを使用者の身長に対応させることができる。また、ロック機構を解除すると前記座板がばねの弾性力で前傾される。このため、使用者は座板への腰掛けが容易になるとともに、腰掛けが完了するとばねの弾性力に抗して座板が水平状となり、椅子に安定した姿勢で腰掛けることができる。また、椅子から立ち上がる際に、使用者が自身の体重を座板の前部側に移動させると該座板が前記ばねの弾性力で前傾するので、該使用者は小労力で椅子から立ち上がることができる。
【０００６】
請求項２に係る発明は、椅子フレームのサイド部材に設けたハンドルを回転させると、ねじ軸が回転し、該ねじ軸に螺合させた左部ナットと右部ナットが接離方向に移動する。これにより、前後に設けた二組のリンク装置は、左右の上下リンクアームが同期装置を介して逆向きの等角度で回動し、座板が水平を保持した状態で上下に移動調節される。これにより、座板の高さを使用者の身長に合う如く容易に調節することができる。
【発明を実施するための最良の形態】
【０００７】
以下本発明の実施の形態を図面に基いて説明する。図面において、図１は本発明の実施例を示す一部断面側面図、図２は図１の一部断面正面図、図３は図２の一部断面平面図、図４は昇降装置のリンクアーム部を示す一部断面正面図、図５は図４の一部断面右側面図である。
【０００８】
図１、図２において、１は座板可動椅子であり、椅子フレーム２、昇降装置１０、座板４５、及びロック機構５０を主要部として構成されている。
【０００９】
椅子フレーム２は、枠形の脚台３の上部に正方形状のベース板４を固定し、該ベース板４の左右に上下に長いサイドボックス（サイド部材）５，６を、後部に背もたれ７ａ付きの後板７を起立固定してなり、前記左右のサイドボックス５，６、及び後板７により囲まれたベース板４の内周部に正方形状の支持台（ベース部材）４ａを固定し、該支持台４ａに昇降装置１０を取り付け、該昇降装置１０により座板４５を上下動調節する。
【００１０】
前記昇降装置１０は以下の如くなっている。即ち、支持台４ａの上方に昇降台１１を水平に配置し、該支持台４ａと昇降台１１とを前後に配置した二組のリンク装置１２（１２−１，１２−２）により連結する。各リンク装置１２は共に略同構造となっており、このうち前部のリンク装置１２−１を代表して説明する。
【００１１】
即ち、図２に示すように、左部と右部とが互いに逆ねじに形成されたねじ軸１３を左右水平に配置し、その両端を左右のサイドボックス５，６に軸受１４及び軸受ガイド１５を介して回転可能かつ上下動可能に取り付け、該ねじ軸１３の左部１３ａに左部ナット１７を、右部１３ｂに右部ナット１８をそれぞれ螺合させる。
【００１２】
前記左部ナット１７及び右部ナット１８に前後方向の支点ピンＰ１，Ｐ２を取り付け、左部の支点ピンＰ１に左部の上・下リンクアーム１９ａ，１９ｂの他端部、即ち、上リンクアーム１９ａの下端部と下リンクアーム１９ｂの上端部とを回動可能に連結する。また、右部の支点ピンＰ２に右部の上・下リンクアーム２０ａ，２０ｂの他端部、即ち、上リンクアーム２０ａの下端部と下リンクアーム２０ｂの上端部とを回動可能に連結する。
【００１３】
前述した支持台４ａ上面の左部と右部、及び昇降台１１下面の左部と右部にブラケットを介して前後方向の支点ピンＰ３，Ｐ４，Ｐ５，Ｐ６を取り付ける。そして、前記左部の上下支点ピンＰ３，Ｐ４に左部の上・下リンクアーム１９ａ，１９ｂの一端部、即ち、上リンクアーム１９ａの上端部、及び下リンクアーム１９ｂの下端部を連結し、前記右部の上下支点ピンＰ５，Ｐ６に右部の上・下リンクアーム２０ａ，２０ｂの一端部、即ち、上リンクアーム２０ａの上端部、及び下リンクアーム２０ｂの下端部を連結する。
【００１４】
前記左部の上下リンクアーム１９ａ，１９ｂの回動角度と前記右部の上下リンクアーム２０ａ，２０ｂの回動角度とを同期装置２２によって互いに同期させる  即ち、図２、図４、図５に示すように、左右の上リンクアーム１９ａ，２０ａの上端部、及び左右の下リンクアーム１９ｂ，２０ｂの下端部に、各支点ピンＰ３〜Ｐ６を中心とするプーリー形のロープガイド２３ａ，２３ｂ、２４ａ，２４ｂを固定し、上部側の左右のロープガイド２３ａ，２３ｂ間に２本のロープ２５ａ，２５ｂをたすき掛け状に懸回するとともに、各ロープ２５ａ，２５ｂの一端を、係止駒２９を介して互いに反対側の上部リンクアーム１９ａ，２０ａに係止するとともに、該上部リンクアーム１９ａ，２０ａに各ロープ２５ａ，２５ｂの他端を引き寄せる調節ねじ２７ａ，２７ｂを取り付ける。また、下部側の左右のロープガイド２４ａ，２４ｂ間に２本のロープ２６ａ，２６ｂを前述と同様にたすき掛け状に懸回するとともに、各ロープ２６ａ，２６ｂの一端を、係止駒２９を介して互いに反対側の下部リンクアーム１９ｂ，２０ｂに係止するとともに、該下部リンクアーム１９ｂ，２０ｂに各ロープ２６ａ，２６ｂの他端を引き寄せる調節ねじ２８ａ，２８ｂを取り付ける。
【００１５】
前記二組のリンク装置１２−１，１２−２は、左部のサイドボックス５内に装備した駆動装置３０によって駆動される。即ち、図１、図２に示すように、各リンク装置１２−１，１２−２のねじ軸１３（１３−１，１３−２）の左端部をサイドボックス５内に露出させ、この露出部に歯付きプーリー３１，３１を固定し、各歯付きプーリー３１，３１にタイミングベルト３２を懸回して前記前後のねじ軸１３−１，１３−２を連動連結する。
【００１６】
前記左部のサイドボックス５内の上部に支持板３３を上下に向けて固定し、該支持板３３にスライダー３４を上下動可能に取り付け、該スライダー３４の上部にハンドル軸３５を左右方向に向けて回転自在に取り付ける。ハンドル軸３５の左端はサイドボックス５の外側に上下の長孔を介して突出させ、該突出した端部に操作用のハンドル３６を固定する。前記ハンドル軸３５の右端は前記サイドボックス５内に位置させ、この部に駆動プーリー３７を固定する。
【００１７】
前記スライダー３４の下部に連結アーム３８を下方に向けて突出固定し、該連結アーム３８の下端を前述した前部のねじ軸１３−１の左端部に回動可能に連結する。該ねじ軸１３の左端部に被動プーリ３９を固定し、該被動プーリ３９と前記駆動プーリー３７とをベルト４０により連結する。
【００１８】
これにより、前記ハンドル３６を回転させると、前部のねじ軸１３−１が回転し、この回転が歯付きプーリー３１，３１及びタイミングベルト３２を介して後部のねじ軸１３−２に伝導され、前後のねじ軸１３−１，１３−２が同期して同方向に回転される。
【００１９】
前記ねじ軸１３が回転されると、該ねじ軸１３に螺合させた左部ナット１７と右部ナット１８が接離方向に移動する。これにより、前後に設けた二組のリンク装置１２−１，１２−２は、左右の上下リンクアーム１９ａ，１９ｂ、２０ａ、２０ｂが同期装置２２を介して逆向きの等角度で回動（伸縮）し、昇降台１１が水平を保持した状態で上下に移動調節される。この場合、前記上下リンクアーム１９ａ，１９ｂ、２０ａ、２０ｂの伸縮によってねじ軸１３が上下動すると、連結アーム３８、スライダー３４を介してハンドル３６が上下動され、ハンドル３６の回転操作は円滑に行なわれることになる。
【００２０】
前述した昇降台１１に座板４５を取り付ける。該座板４５は、図１に示すように、水平配置して昇降台１１に載置し、その前部を蝶番４６により左右軸心を中心として回動可能に連結する。前記昇降台１１の前部は下方に向けて約２０度の角度で屈曲させ、その先端部に昇降前板４７を垂下固定し、該昇降前板４７と前記座板４５の前端部との間に引張ばね（ばね）４８を掛け、該引張ばね４８の引張力で前記座板４５を図１の実線で示すように前傾させる。また、前記昇降前板４７と前記座板４５の前端部との間に座板４５の前傾を規制するロック機構５０を取り付ける。
【００２１】
前記ロック機構５０は、昇降前板４７よりも前部に位置する座板４５の前端部下面に左右に細長いストッパー５１を前後回動可能に取り付け、昇降前板４７の上端部に前記ストッパー５１の下端を受ける受け面５２を形成し、前記ストッパー５１の前面につまみ５１ａを取り付けてなり、該つまみ５１ａを持って前記ストッパー５１を後方に回動させ、その下面を前記受け面５２に当接係止させると、座板４５の前傾が規制され、該座板４５を水平に保持する。また、前記ストッパー５１を前方に回動させ、その下面を前記受け面５２から離脱させると座板４５が前記引張ばね４８の引張力で前傾され、これにより椅子１への腰掛けを容易にする。
【００２２】
図１において、４９は昇降台１１の後端に起立固定した保護板であり、座板４５が前傾した際に背もたれ７ａと座板４５後端との間隙発生を防止するためのものである。５２は固定前板であり、前記昇降前板４７の下方を塞ぐためのものである。５５は昇降台１１の上動を補助するテレスコピック形の昇降ガイドであり、支持台４ａに固定管５６を起立固定し、昇降台１１の下面に垂下固定した摺動管５７を前記固定管５６に上下摺動可能に嵌合させ、固定管５６内に圧縮ばね５８を収容し、該圧縮ばね５８により前記摺動管５７を上方に移動付勢してなり、前記圧縮ばね５８の反力によって支持台４ａ、座板４５を持ち上げることにより、ハンドル３６による座板４５上昇時の負荷を軽減する。
【００２３】
上記実施例によれば、ハンドル３６を正逆回転させると、昇降装置１０が作動して座板４５が上下動し、該座板４５の高さを使用者の身長に対応させることができる。また、座板４５は、その前部側で昇降装置１０の昇降台１１に回動可能に連結され、ロック機構５０を解除すると前記座板４５が引張ばね４８の引張力で図１の実線で示すように前傾される。このため、使用者は座板４５への腰掛けが容易となる。その後自身の全体重を前記座板４５に移動させると、引張ばね４８が延びて座板４５が水平方向に回動し、椅子１に安定した姿勢で腰掛けることができる。また、ロック機構５０を解除した状態で椅子１から立ち上がる際に、使用者が自身の体重を座板４５の前部側に移動させると該座板４５が引張ばね４８の引張力で前傾するので、該使用者は小労力で椅子１から立ち上がることができる。なお、不使用時には、前記ロック機構を作動させて座板４５を水平に保持し、安全な状態にしておく。
【図面の簡単な説明】
【００２４】
【図１】図１は本発明の実施例を示す一部断面側面図である。
【図２】図２は図１の一部断面正面図である。
【図３】図３は図２の一部断面平面図である。
【図４】図４は昇降装置のリンクアーム部を示す一部断面正面図である。
【図５】図５は図４の一部断面右側面図である。
【符号の説明】
【００２５】
１    座板可動椅子
２    椅子フレーム
３    脚台
４    ベース板
４ａ  支持台（ベース部材）
５，６    サイドボックス（サイド部材）
７    後板
７ａ  背もたれ
１０    昇降装置
１１    昇降台
１２（１２−１，１２−２）    リンク装置
１３（１３−１，１３−２）    ねじ軸
１４    軸受
１５    軸受ガイド
１７    左部ナット
１８    右部ナット
１９ａ，１９ｂ  左部の上下リンクアーム
２０ａ，２０ｂ  右部の上下リンクアーム
２２    同期装置
２３ａ，２３ｂ，２４ａ，２４ｂ  ロープガイド
２５ａ，２５ｂ，２６ａ，２６ｂ  ロープ
２７ａ，２７ｂ，２８ａ，２８ｂ  調節ねじ
２９    係止駒
３０    駆動装置
３１    歯付きプーリ
３２    タイミングベルト
３３    支持板
３４    スライダー
３５    ハンドル軸
３６    ハンドル
３７    駆動プーリ
３８    連結アーム
３９    被動プーリ
４０    ベルト
４５    座板
４６    蝶番
４７    昇降前板
４８    引張ばね（ばね）
４９    保護板
５０    ロック機構
５１    ストッパー
５１ａ  つまみ
５２    固定前板
５５    昇降ガイド
５６    固定管
５７    摺動管
５８    圧縮ばね
【図１】
2007330665.tif 000003
【図２】
2007330665.tif 000004
【図３】
2007330665.tif 000005
【図４】
2007330665.tif 000006
【図５】
2007330665.tif 000007